Podtech/llm-jp-corpus-v4-ja_patent huggingface dataset:
(57)【要約】【課題】  本発明は、下駄本体の踵部分をカットし、カット部を設け、下駄本体の台部に、鼻緒を取り付け、台部の裏面に前歯と後歯を設けたことを特徴としたボケ防止下駄を提供する。【解決手段】  下駄本体（１）の踵部分をカットし、カット部（６）を設け、下駄本体（１）の台部（２）に、鼻緒（３）を取り付け、台部（２）の裏面に前歯（４）と後歯（５）を設けたことを特徴としたボケ防止下駄。【選択図】図１
2010125309.tif 000002
【特許請求の範囲】
【請求項１】
下駄本体（１）の踵部分をカットし、カット部（６）を設け、下駄本体（１）の台部（２）に、鼻緒（３）を取り付け、台部（２）の裏面に前歯（４）と後歯（５）を設けたことを特徴としたボケ防止下駄。
【発明の詳細な説明】
【技術分野】
【０００１】  本発明は、下駄本体の踵部分をカットし、カット部を設け、下駄本体の台部に、鼻緒を取り付け、台部の裏面に前歯と後歯を設けたことを特徴としたボケ防止下駄に関するものである。
【背景技術】
【０００２】  従来、下駄の歯や台を改良した健康下駄があった。
健康下駄に関するものは、先行技術は、下記に示したものがある。
【先行技術文献】
【特許文献１】  特開２００７−１１７４８９号公報
【特許文献２】  特開平８−２９９００６号公報
【実用新案文献１】
実開平７−３９５０１号公報
【実用新案文献２】
登録実用新案第３０７４５７８号公報
【実用新案文献３】
登録実用新案第３０６３５８５号公報
【発明の開示】
【発明が解決しようとする開示】
【０００３】  そのために次のような問題点があった。
歯や台を改良したが高齢者の足にむかない角度になることが多く運動することが大変であった。
本発明は、以上の問題点を解決するためになされたものである。
【課題を解決するための手段】
【０００４】  下駄本体（１）の踵部分をカットし、カット部（６）を設ける。
下駄本体（１）の台部（２）に、鼻緒（３）を取り付ける。
台部（２）の裏面に前歯（４）と後歯（５）を設ける。
本発明は以上のことを特徴としたボケ防止下駄である。
【発明の効果】
【０００５】  本発明のボケ防止下駄を履いて爪先立ちで歩くだけで、ふくらはぎが刺激される。
また、脳も刺激されるため、ボケ防止の役に立つ。
【発明を実施するための最良の形態】
【０００６】  以下、本発明の実施の形態について説明する。
（イ）下駄本体（１）の踵部分をカットし、カット部（６）を設ける。
（ロ）下駄本体（１）の台部（２）に、鼻緒（３）を取り付ける。
（ハ）台部（２）の裏面に前歯（４）と後歯（５）を設ける。
本発明は以上のような構成である。
本発明を使用するときは、鼻緒（３）と台部（２）の間に片方の足の爪先を入れる。
また、反対の方も同じく、爪先を入れて、爪先立ちで歩く。
【図面の簡単な説明】
【０００７】
【図１】  本発明の斜視図である。
【図２】  本発明の使用状態を示した説明図である。
【符号の説明】
【０００８】  １  下駄本体
２  台部
３  鼻緒
４  前歯
５  後歯
６  カット部
【図１】
2010125309.tif 000003
【図２】
2010125309.tif 000004
(57)【要約】【課題】  使用後のハケ・ブラシを自動で簡単に洗浄を行い、保存管理する攪拌保存ホルダーを提供する。【解決手段】  ハケ・ブラシ攪拌保存ホルダー（１）を円形容器（２）に装着し、（３）振動、ゆれによる自動の洗浄保存容器を特徴とする。【選択図】図３
2010125308.tif 000002
【特許請求の範囲】
【請求項１】
洗浄方法に関するいっさいの範囲
【請求項２】
保管方法に関するいっさいの範囲
【発明の詳細な説明】
【技術分野】
【０００１】  この発明は、使用後のハケ・ブラシの洗浄保存ホルダーに関するものである。
【背景技術】
【０００２】  従来、使用後のハケ・ブラシの洗浄と保存を別々に行っていた。
【発明の開示】
【発明が解決しようとする課題】
【０００３】  これは、次のような欠点があった。  従来、ハケ・ブラシを使用後に洗浄を行い、保存容器へ移し変えて、保存をしていたが、洗浄後の洗浄液の処理、移し変えの際の硬化による破損が、問題となっていた。  本発明は、以上のような欠点をなくすためになされたものである。
【課題を解決するための手段】
【０００４】  清水、洗浄液、薬品等を用いて円形容器（リサイクル缶、ペール缶等）（２）とハケ・ブラシ攪拌保存ホルダー（１）を組合すことにより持ち運びの際に起きる、ゆれ振動による内容液の回転で行う攪拌洗浄と、用具装着ホルダーにハケ、ブラシを装着後、ハケ・ブラシ等の、ゆれ、振動により濯ぎ洗浄（３）を同時に行うことができる攪拌保存ホルダーである。  本発明は、以上の組み合わせからなる攪拌洗浄保存ホルダーである。
【発明の効果】
【０００５】  持ち運びや移動の際に発生する、振動とゆれを利用し、自動で内容液が攪拌されることから、揉み洗いや濯ぎ洗いをする必要がないため、衣類などを汚さず後処理時間の短縮する事ができる。
【発明を実施するための最良の形態】
【０００６】  以下、本発明を実施するための最良の形態について説明する。  ハケ・ブラシ攪拌保存ホルダー（１）にハケ・ブラシを装着する。  円形容器（リサイクル缶、ペール缶等）（２）にハケ・ブラシ攪拌保存ホルダー（１）を入れる。  円形容器（リサイクル缶、ペール缶等）（２）に洗浄液を充填する。  この組み合わせにより移動の際の振動、ゆれで洗浄液が回転、攪拌する事により装着したハケ・ブラシが洗浄される。  本発明は、以上のような構造である。
【図面の簡単な説明】
【０００７】
【図１】本発明の斜視図である。
【図２】本発明の斜視図である。
【図３】本発明の斜視図である。
【符号の説明】
【０００８】    １  ハケ・ブラシ攪拌保存ホルダー    ２  円形容器    ３  ハケ・ブラシ攪拌保存ホルダーを円形容器に装着
【図１】
2010125308.tif 000003
【図２】
2010125308.tif 000004
【図３】
2010125308.tif 000005
(57)【要約】【課題】本発明はコンタクトレンズケースの蓋のダイヤルを回していき使用期限を表示するケースである。通常は２週間（１４日間）の使用期限のあるコンタクトレンズを使用するときは開始日や使用日数を覚えておくが、使用日数が不明になるため、使用日数がわかるコンタクトレンズケースを提供する。【手段】コンタクトレンズケースの蓋に時計回りに回るダイヤルを設ける。ダイヤルの一部に数ｃｍの穴を設ける。ダイヤルの下に１〜１４の数字を書いておく。【選択図】図１
2010125304.tif 000002
【特許請求の範囲】
【請求項１】
コンタクトレンズケースで、蓋に使用日数が分かるように、時計回りにダイヤルを回していけば使用日数を表示するケース。
【請求項２】
ダイヤルの一部に数ｃｍの穴を設けその下に書かれた１〜１４の数字の一つが見えるケース。
【発明の詳細な説明】
【技術分野】
【０００１】      本発明は、蓋に設けたダイヤルを回していけば使用日数が分かるようにしたコンタクトレンズケースに関するものである。
【背景技術】
【０００２】      使い捨てコンタクトレンズを使用するとき、２週間（１４日間）の使用期限があるものがある。使用開始日を覚えておいたり、カレンダーに記録していた。
【発明の開示】
【発明が解決しようとする課題】
【０００３】      使用期限が決められているコンタクトレンズを使用するとき、次のような問題点が      あった。２週間（１４日間）の使用限度がある物がある。しかし日にちが経つにつ      れ開始日が分からなくなり、使用日数が不明になる。
本発明は、以上の問題点を解決し、使用日数が分かるようになされた物である。
【解決するための手段】
【０００４】      コンタクトレンズケースの蓋の一方に、時計回りに回る、ダイヤルを設ける。ダイヤルの一部に数ｃｍの穴を設ける。ダイヤルの下に１〜１４までの数字を書いておき、ダイヤルを回せば数ｃｍの穴から数字一つが見える。
本発明は、以上の構成よりなる使用日数が分かるコンタクトレンズケースである。
【発明の効果】
【０００５】      本発明を使用する度に、ダイヤルを回していけば何日使用したか知ることが出来る。
【発明を実施するための最良の形態】
【０００６】以下、本発明の実施形態を説明する。
（イ）コンタクトレンズケースの蓋（１）に、時計回りに回せるダイヤル（２）を設ける      。
（ロ）ダイヤル（２）の一部に数ｃｍの穴（３）を設けてある。
（ハ）ダイヤル（２）の下に１〜１４までの数字を書いておき、ダイヤル（２）を回せば      数ｃｍの穴（３）から数字一つが見える。
本発明は、以上の構成よりなる。
本発明を使用する場合は、１日毎に、ダイヤル（２）を回していく。そうすれば、ダイヤル（２）の穴（３）か１〜１４までの数字が表示される。
【図面の簡単な説明】
【０００７】
【図１】本発明の正面図
【図２】本発明の斜視図
【符号の説明】
【０００８】（１）蓋、（２）ダイヤル、（３）穴、
【図１】
2010125304.tif 000003
【図２】
2010125304.tif 000004
(57)【要約】      （修正有）【課題】一般的に行われている発毛法は、養毛剤・マッサージ・頭皮の洗浄等、間接的に血管に作用させる方法であり、直接的ではない。又精神的ストレスが頭皮におよぼす影響を改善するに到っていない。【解決手段】この器具を用い、頭部に圧力をかける事により頭皮内の血液が飽和状態となり毛細血管にまで、血液を直接送り込む事が出来る。又、容易に頭皮に血液が充満した感覚を掴む事ができ、頭皮をリラックスさせ精神的ストレスが頭皮におよぼす影響を最小限に抑える事ができる。【選択図】図１
2010125310.tif 000002
【特許請求の範囲】
【請求項１】
頭部の血管に圧力をかける事により、頭皮内の血液を飽和状態にしストレスなどにより通常、行き渡らなかった毛細血管にまで血液を巡らせるための道具。
【発明の詳細な説明】
【技術分野】
【０００１】  この発明は、新発想による発毛器具に関する。
【背景技術】
【０００２】  頭部血管に圧力をかけ発毛させるという発想のもとに創られた発毛器具。〔図面参照〕
【発明の開示】
【発明が解決しようとする課題】
【０００３】  現在、一般的に行われている発毛法は養毛剤マッサージ、頭皮の洗浄など間接的に血管に作用させ発毛を促そうという発想であるが、この発明は直接的に頭皮血管に作用させ発毛させようとする発想の基に成り立っている。
【課題を解決するための手段】
【０００４】  以上の課題を解決する為に、この発明は頭部に適度な圧力をかけることにより、直接的に頭皮内の血流を覚醒させようという発毛器具である。
【発明の効果】
【０００５】  この発毛器具を用い、頭部に圧力をかけることにより、頭皮内の血液が飽和状態となり普段行き渡らない毛細血管にまで血液を直接送り込むことができる。
【発明を実施するための最良の形態】
【０００６】１．この発明の実施形態を、図面に示す。１．▲１▼はある程度強度のある紐状のもの。１．▲２▼▲３▼は握りやすい形状の金属など。
【実施形態の効果】
【０００７】  この実施形態によれば、容易に頭皮の血流が増した感覚を掴む事ができる。発毛にはこの感覚を知る事が大変重要である。
【図面の簡単な説明】
【０００８】
【図１】は、この発明の実施形態を示す正面図である。
【図１】
2010125310.tif 000003
(57)【要約】【課題】従来の安全帯は腰に巻くだけで、全重量が、腰にかかり腰痛の原因となる。【解決手段】腰に巻いた安全帯を、両肩よりバンドで吊るようにします。【選択図】図２
2010125301.tif 000002
【特許請求の範囲】
【請求項１】
肩からかけたサスペンダーに図１−１、図２−１にＳＵＳ−３０４−ＣＳＰ金具及び、ポリプロピレン等の丈夫な長さ調整具を取り付ける。
【請求項２】
安全帯を吊るフック図１−２、図２−２には、取り外し可能な図１−２、図２−２状の、取り外し可能なフックを取り付ける。
【発明の詳細な説明】
【技術分野】
【０００１】本発明は、腰に巻く安全帯に付ける肩吊りベルトに関する。
【背景技術】
【０００２】従来の安全帯は、腰に巻くだけの物である。【０００３】腰に負担がかかりすぎる
【特許文献】特開２００３−２４３５５
【発明の開示】
【発明が解決しようとする課題】
【０００４】従来の安全帯は、腰に巻くだけで、全重量が腰にかかり、腰痛の原因となる。
【課題を解決する手段】
【０００５】腰に巻いた安全帯を、両肩よりバンドで吊るようにします。
【図面の簡単な説明】
【０００６】
【図１】正面図
【図２】側面図
【図３】背面図
【符号の説明】
【０００７】１  長さ調整金具
２  安全帯吊り金具
３  安全帯
【図１】
2010125301.tif 000003
【図２】
2010125301.tif 000004
【図３】
2010125301.tif 000005
(57)【要約】【課題】介護者本人と家族の幸わせ【解決手段】重たい車いす用テーブルを木製の軽い家族の人が楽に使える用に穴をあけた事にゴムロープで取めるという簡単な方法にしました。【選択図】図１
2010125315.tif 000002
【特許請求の範囲】
【請求項１】
今までの車椅子用テーブルは取り外しが大変で約２．７ｋｇもあり値代も高く介護する人の負担も多かった。車椅子に乗る人は今まで一人でベットで食事をすることが多かったがこれがあれば家族と一緒に食事がとれます
【発明の詳細な説明】
【技術分野】
【０００１】  本発明は車いす用にかんする
【発明の開示】
【発明が解決しようとする課題】
【０００２】  車椅子の介護者が楽のしく食事が出来ること
【課題を解決するための手段】
【０００３】  テーブルを軽くて木製品にしてあたたかみを出して、ゴムのバンドで車椅子に固定するので簡単
【発明の効果】
【０００４】  車椅子の人も介護者もらくになる
【発明を実施するための最良の形熊】
【０００５】  車椅子に合せて作ったテーブルをのせ穴にゴムロープを通して固定する
【図面の簡単な説明】
【０００６】
【図１】上面図
【図２】下面図
【図３】横面図
【符号の説明】
【０００７】（イ）・（ロ）  １７中穴
（ハ）  木ネジ４本とボンドで固定２枚の板
【図１】
2010125315.tif 000003
【図２】
2010125315.tif 000004
【図３】
2010125315.tif 000005
(57)【要約】【課題】  ロールペーパーホルダーを使用する時に、片方の手で全て速やかにペーパーを取り替え垂れ下がったペーパーを引いて切ることができるロールペーパーホルダーのペーパー切り具を提供する。【解決手段】  本体両側面の先端にペーパー受け丸軸を設け、上ぶたを円周とした中心の軸取り付け板にロールペーパー受け丸軸を設け、上ぶた先端下部に波形ペーパー押さえを設け、その上部側面に上ぶた固定用の溝付きつまみを設け、上ぶた前方にペーパー切り刃のついた開閉板を設け、片方の手で速やかにロールペーパーの取り替えができペーパーを引きだして切りとることができることを特徴とするロールペーパーホルダーのペーパー切り具。【選択図】図１
2010125314.tif 000002
【特許請求の範囲】
【請求項１】
本体両側面の先端にペーパー受け丸軸を設け、上ぶたを円周とした中心の軸取り付け板にロールペーパー受け丸軸を設け、上ぶた先端下部に波形ペーパー押さえを設け、その上部側面に上ぶた固定用の溝付きつまみを設け、上ぶた前方にペーパー切り刃のついた開閉板を設け、片方の手で簡単にロールペーパーの取り替えができペーパーを引きだして切りとることができることを特徴とするロールペーパーホルダーのペーパー切り具。
【発明の詳細な説明】
【技術分野】
【０００１】  本発明は、ロールペーパーホルダーを使用する時に、片方の手で全て速やかにペーパーを取り替え垂れ下がったペーパーを引いて切ることができるロールペーパーホルダーのペーパー切り具に関するものである。
【背景技術】
【０００２】  従来、ロールペーパーホルダーのペーパーを取り替えるときは、両手を使って取り替えなくてはならなかった。また、ロールペーパーを使用するときにも両手を必要としていた。
【発明の開示】
【発明が解決しようとする課題】
【０００３】  従来より、次のような問題点があった。
（イ）ロールペーパーの取り替えをするときに片方の手でロールペーパーを持ち、もう一方の手でロールペーパー受け丸軸を持ってロールペーパーを差し込みロールペーパーホルダーに取り付けていたので、片方の手だけで取り替えるには不便を感じていた。
（ロ）ロールペーパーの切り口を取り出すために指を使ってロールペーパーを回わしてペーパーの切り口を引きだし必要な長さにして、もう一方の手で上ぶたを押さえてペーパーを切る為に両手を必要としていた。
本発明は、以上の問題点を解決しようとするものである。
【課題を解決するための手段】
【０００４】  本体両側面の先端にペーパー受け丸軸を設ける。上ぶたを円周とした中心の軸取り付け板にロールペーパー受け丸軸を設ける。上ぶた先端下部に波形ペーパー押さえを設け、その上部側面に上ぶた固定用の溝付きつまみを設け、上ぶた前方にペーパー切り刃のついた開閉板を設け、全て片方の手で使用できることを特徴とするロールペーパーホルダーのペーパー切り具である。
【発明の効果】
【０００５】  本発明は、ロールペーパーホルダーの上ぶたに、軸取り付け板と、位置決め用の切り込み、及び、穴の全てを一体で形成した軸取り付け板に、ロールペーパー受け丸軸を固定しているためロールペーパーの取り替えをするときは、両手で取り替える必要がない。本体の先端に設けたペーパー受け丸軸と上ぶた先端の波形ペーパー押さえの間よりペーパーが垂れ下がることによって、片方の手で使用できるのである。
【発明を実施するための最良の形態】
【０００６】  以下、本発明の実施の形態を説明する。
（イ）本体（１）と本体両側面（２）の穴を一体形成とした（２）の先端に、ペーパー受け丸軸用とおし穴（３）にペーパー受け丸軸（４）をとおして取り付けをする。
（ロ）上ぶた（５）からなる上ぶた側面（６）の先端の両側面に位置決め用の切り込み（７）及び上ぶた（５）を円周とした上ぶた内側より中心に軸取り付け板（８）と全ての穴を一体で形成した上ぶたを設ける。
（ハ）軸取り付け板（８）にすべり止めの付いたロールペーパー受け丸軸（９）を丸軸用取り付け穴（１１）よりネジ穴（１０）にネジ（２６）で取り付けをする。
（ニ）上ぶた先端のピン穴（１３）より波形ペーパー押さえ（１２）のネジ穴（１４）へピンネジ（２７）で取り付けをする。
（ホ）安全の為にのこぎり刃の先端を平らにしたペーパー切り刃（１５）を取り付けた開閉板（１６）をピン穴（１７）よりネジ穴（１８）へピンネジ（２７）で取り付けをする。
（ヘ）溝付きつまみ用丸軸（１９）を丸軸とおし穴（２０）にとおした上ぶた両側面（６）の外側に、溝付きつまみ（２１）の取り付け穴（２２）を左右対称に取り付けをする。
（ト）本体両側面（２）のかさ付きピンネジ穴（２４）へ、上ぶた両側面のかさ付きピン穴（２５）よりかさ付きピンネジ（２８）で取り付けをする。
（チ）上ぶた（５）の上部に磁石（３１）その下部に窓（３２）を設ける。
本発明は、以上の構成よりなっている。
本発明を使用するときは、上記のペーパー切り具のロールペーパーホルダー本体（１）の取り付け穴（２９）より止めネジ（３０）によって壁に取り付け固定する。
片方の手で溝付きつまみ（２１）を手前に引き、上ぶた（５）を壁側に持ち上げて壁の磁石受け（３３）に上ぶた（５）の磁石（３１）で止め、すべり止めのついたロールペーパー受け丸軸（９）にロールペーパーを差し込み最初の切り口を取りだして本体（２）の先端のペーパー受け丸軸（４）に垂らして、上ぶたを壁より磁石（３０）を引き離して、上ぶた先端の位置決め用の切り込み（７）を本体先端のペーパー受け丸軸（４）に合わせて溝付きつまみ（２１）の溝（２３）によって上ぶたを固定しその後、垂れさがったペーパーを片方の手でひきだして上方向に持ち上げ、開閉板（１６）が開くと波形ペーパー押さえ（１２）が働きペーパーを押さえると同時にペーパー切り刃（１５）によってペーパーを切り開閉板（１６）が閉じて波形ペーパー押さえ（１２）より下方向にペーパーが垂れさがるので次にペーパーを引きだすことが容易にできるのである。
【図面の簡単な説明】
【０００７】
【図１】本発明の斜視図
【図２】本発明の分解斜視図
【図３】本発明の分解斜視図
【図４】本発明の使用状態を示す斜視図
【符号の説明】
【０００８】  １  本体
２  本体側面
３  ペーパー受け丸軸用とおし穴
４  ペーパー受け丸軸
５  上ぶた
６  上ぶた側面
７  位置決め用切り込み
８  軸取り付け板
９  すべり止めのついたロールペーパー受け丸軸
１０  ネジ穴
１１  丸軸用取り付け穴
１２  波形ペーパー押さえ
１３  波形ペーパー押さえ用ピン穴
１４  ピンネジ穴
１５  ペーパー切り刃
１６  開閉板
１７  開閉板用ピン穴
１８  ピンネジ穴
１９  溝付きつまみ用丸軸
２０  丸軸とおし穴
２１  溝付きつまみ
２２  溝付きつまみ取り付け穴
２３  上ぶた固定用溝
２４  かさ付きピンネジ穴
２５  かさ付きピン穴
２６  ペーパー受け丸軸ようネジ
２７  ピンネジ
２８  かさつきピンネジ
２９  本体取り付け穴
３０  止めネジ
３１  磁石
３２  窓
３３  壁取り付け用磁石受け
【図１】
2010125314.tif 000003
【図２】
2010125314.tif 000004
【図３】
2010125314.tif 000005
【図４】
2010125314.tif 000006
(57)【要約】【課題】  従来存在するネックレス留め具は円形リングが主流であるが、付け外しがやや難しい点もある。したがって確実に保持し簡単に解除することができる留め具はないものか。【解決手段】  オス部品とメス部品で構成され、オス部品の円錐形がメス部品のリング状バネを通過し保持される。オス部品とメス部品の二重スライドリングを押し合うことでリング状バネを押し広げて円錐形より広がったところでオス部品を引き抜くことで解除することができる。【選択図】図２
2010125312.tif 000002
【特許請求の範囲】
【請求項１】
オス部品とメス部品で構成され、オス部品の先端に首のついた円錐形を持ち、円錐形の円は首よりもやや大きくなっている。メス部品は円筒形ケースであり、差し込み口はオス部品の先端である円錐形が通過する大きさの穴を設け、差し込み口と反対側はふさがっていてネックレス接続用の金具が取り付けられている。円筒形ケースの中には一か所切られたリング状バネが設けられ、その形は差し込み口中央にオス部品の円錐形が通過しやすく斜めに削られた凹型であり、差し込み口と反対側はオス部品の円錐形が通過した後引っ掛かるように中央は平らになっていて更にそこから斜めに大きく張り出した凹型をしている。また奥には二重スライドリングがあり、円筒形ケースの内側にリング状バネと接触する部分は斜めに削られた内部スライドリングと円筒形ケースの外側に外部スライドリングが数箇所で固定されたものである。円筒形ケースにはスライド用穴が二重スライドリングの固定箇所と同等数設けられている。これらによりオス部品をメス部品に差し込むだけで保持し、取り外しはオス部品を右手に持った場合はメス部品の二重スライドリングを左手に持ち、押し合うことで二重スライドリングはリング状バネを押し広げ、左手は円筒形ケースを摘まんだまま右手のオス部品を引き抜くことで解除することができることを特徴とする差し込みで保持し押すと解除するネックレス留め具。
【発明の詳細な説明】
【技術分野】
【０００１】  本発明は貴金属、アクセサリーなどのネックレス留め具の方法に関する。
【背景技術】
【０００２】  従来の技術で、より優れた技術は幾つか存在する（特許文献１参照）。
【特許文献１】  特開２００６−３２５６５７号公報（図３）
【発明が解決しようとする課題】
【０００３】  従来存在するネックレス留め具は円形リングが主流であるが、付け外しが難しい点もある。したがって、簡単に付け外す事ができる留め機構が必要である。
【課題を解決するための手段】
【０００４】  上記の目的を達成する為、本発明の、差し込みで保持し押すと解除するネックレス留め具は、オス部品とメス部品で構成され、オス部品の先端に首のついた円錐形を持ち、円錐形の円は首よりもやや大きくなっている。メス部品は円筒形ケースであり、差し込み口はオス部品の先端である円錐形が通過する大きさの穴を設け、差し込み口と反対側はふさがっていてネックレス接続用の金具が取り付けられている。円筒形ケースの中には一か所切られたリング状バネが設けられ、その形は差し込み口中央にオス部品の円錐形が通過しやすく斜めに削られた凹型であり、差し込み口と反対側はオス部品の円錐形が通過した後引っ掛かるように中央は平らになっていて更にそこから斜めに大きく張り出した凹型をしている。また奥には二重スライドリングがあり、円筒形ケースの内側にリング状バネと接触する部分は斜めに削られた内部スライドリングと円筒形ケースの外側に外部スライドリングが数箇所で固定されたものである。円筒形ケースにはスライド用穴が二重スライドリングの固定箇所と同等数設けられている。これらによりオス部品をメス部品に差し込むだけで保持し、取り外しはオス部品を右手に持った場合はメス部品の二重スライドリングを左手に持ち、押し合うことで二重スライドリングはリング状バネを押し広げ、左手は円筒形ケースを摘まんだまま右手のオス部品を引き抜くことで解除することができることを特徴とする。
【０００５】  また本発明の、差し込みで保持し押すと解除するネックレス留め具は、オス部品の形については無数の形が考えられ、ここでは二つの例を示すこととする。円柱形片側にネックレス接続用金具を取り付けもう片側に首のついた円錐形をしたオス部品と、従来の板状に片側ネックレス接続用穴が設けられ片側に首のついた円錐形をしたオス部品などが考えられる。
【０００６】  本発明の、差し込みで保持し押すと解除するネックレス留め具は、ほとんど貴金属で製造することが可能であり、リング状バネのみ他金属にすることが考えられる。またリング状バネを貴金属で製造可能な技術が確立されると全ての部品は貴金属で製造されるであろう。
【発明を実施するための最良の形態】
【０００７】  図１ａは正面図、図１ｂは右側面図、図１ｃは左側面図で本発明の差し込みで保持し押すと解除するネックレス留め具の好適な実施の形態を示す。【０００８】  図２は図１ｄの断面図であり、オス部品１に円柱形を用いた図である。オス部品１とメス部品２で構成され、オス部品１の先端に首９のついた円錐形６がありメス部品２に差し込まれた状態である。リング状バネ３は首９の所で引っ掛かりこのままでは抜くことはできない。オス部品１とメス部品２を押し合うことで二重スライドリング４の外部スライドリング７をスライドさせると内部スライドリング８はリング状バネ３を押し広げオス部品１の円錐形６より広がったところでオス部品１は引き抜くことができる。ネックレス接続用金具５はオス部品１とメス部品２に設けられている。【０００９】  図３はオス部品１に板状部品を用いた例である。
【発明の効果】
【００１０】  以上説明したように、差し込みで保持し押すと解除するネックレス留め具を用いることで、まさにキープアンドリリースが容易であり瞬時に行える画期的な構造である。また製品としては精密な加工が求められ産業の発展に貢献できる。さらにはリペア市場の拡大などが予想され経済活性化が期待できる。
【図面の簡単な説明】
【図１】本発明の、差し込みで保持し押すと解除するネックレス留め具において、図１ａは正面図、図１ｂは右側面図、図１ｃは左側面図である。
【図２】本発明の、差し込みで保持し押すと解除するネックレス留め具の、図１ｄの断面図である。
【図３】本発明の、差し込みで保持し押すと解除するネックレス留め具の、オス部品を板状にした例である。
【符号の説明】
１    オス部品
２    メス部品
３    リング状バネ
４    二重スライドリング
５    ネックレス接続用金具
６    円錐形
７    外部スライドリング
８    内部スライドリング
９    首
【図１】
2010125312.tif 000003
【図２】
2010125312.tif 000004
【図３】
2010125312.tif 000005
(57)【要約】      （修正有）【課題】機械加工において、簡単に加工治具に取り付ける事ができ、加工の振動や切削力に耐えうるワークサポート装置の構造。【解決手段】ワークサポート装置内に圧力流体の作用が無い場合、スプリング７の伸び荷重によりピストン３が上昇する。これに共なってロッド５がスプリング８の伸び荷重により上昇しこのスプリング８荷重でワークに押し当てられる。次に、ポートＡから圧力流体を供給するとピストン３はさらに上昇方向に圧力がかかり、その結果ローラーピン６が内側方向に移動しロッド５のテーパー部を挟み込みこのロッド５を固定する。そして、加工時にワークにかかる切削力をこのロッド５が支える事となり加工における振動を抑える事となる。ワーク加工終了後、ポートＢから圧力流体を供給するとピストン３が下降しローラーピン６がロッド５のテーパー部から解放されてこのロッド５はピストン３によって共に下降しワークのサポートを解除する。【選択図】図１
2010125591.tif 000002
【特許請求の範囲】
【請求項１】
図１に示すように、スプリング（７）の伸び荷重によりピストン（３）が押し上げられ、それに共ないスプリング（８）の伸び荷重によりロッド（５）が上昇してサポートしたいワークの部位に押し当て、その押し当て力はスプリング（８）のバネ荷重によって調整できる事を特徴とするワークサポート構造。
【請求項２】
請求項１に記載したワークサポートにおいて、ピストン（３）をポートＡから供給される圧力流体によって上昇させ、図２で示すようにロッド（５）のテーパー部にローラーピン（６）でクサビを打つ事によりこのロッド（５）が上下に移動しないように固定し、加工におけるワークの振動やサポートした部位の下降を防ぐ事を特徴とするワークサポート構造。
【請求項３】
請求項１又は２に記載したワークサポートにおいて、ピストン（３）をポートＢから供給される圧力によって下降させる事によりロッド（５）のテーパー部とローラーピン（６）間のクサビ力を開放し、ピストン（３）と共にロッド（５）を下降させてワークのサポートを解除する事を特徴とするワークサポート構造。
【発明の詳細な説明】
【技術分野】
【０００１】加工時におけるワークの振動及び加工精度（平行度、平坦度、面粗度、等）の向上を目的としたワークサポート装置に関連する。
【背景技術】
【０００２】ワークを機械加工する時に、加工部位の近くを押さえ込むようにクランプする事ができれば、振動が発生しないように固定する事ができる。【０００３】ワークによって加工部位の近くをクランプする事ができない場合は、加工に障害とならない箇所をボルトやサポート装置を使って支持し加工による振動を抑えている。
【発明の開示】
【発明が解決しようとする課題】
【０００４】機械加工において、簡単に加工治具に取り付ける事ができ、加工の振動や切削力に耐えうるワークサポート装置の構造。
【課題を解決するための手段】
【０００５】図１に示すようなワークサポートの構造とした。ワークサポート装置内に圧力流体の作用が無い場合、スプリング（７）の伸び荷重によりピストン（３）が上昇する。これに共なってロッド（５）がスプリング（８）の伸び荷重により上昇しこのスプリング（８）荷重でワークに押し当てられる。次に、ポートＡから圧力流体を供給するとピストン（３）はさらに上昇方向に圧力がかかり、その結果ローラーピン（６）が内側方向に移動しロッド（５）のテーパー部を挟み込みこのロッド（５）を固定する。そして、加工時にワークにかかる切削力をこのロッド（５）が支える事となり加工における振動を抑える事となる。ワーク加工終了後、ポートＢから圧力流体を供給するとピストン（３）が下降しローラーピン（６）がロッド（５）のテーパー部から解放されてこのロッド（５）はピストン（３）によって共に下降しワークのサポートを解除する。【０００６】図１に示すように、圧力流体の供給ポートは、ベース（４）の下部方向からと横方向からのどちらからでも供給できるような構造とする。
【発明の効果】
【０００７】ロッド（５）のテーパー部とローラーピン（６）及びピストン（３）を流体の圧力とクサビ力とで強固に固定する機構の為、ワークの加工時における振動を抑え、サポートしているワークの部位の下降を防ぐ事ができる。【０００８】図１に示すポートＡとボートＢに圧力流体を交互に供給するだけでワークサポートを作動させているため、取付工事が簡単である。
【発明を実施するための最良の形態】
【０００９】ロッド（５）の移動方向にサポートしたいワークの部位を押し当て、ワークへの切削力がロッド（５）の移動方向にかかるようにこのワークサポート装置を加工治具にとりつける。
【実施例】
【００１０】フライス加工において、ワークを固定するためのクランプ機構に追加してこのワークサポート装置を使う事により、フライス加工時のワークの振動を抑え加工精度（平坦度、平行度、面粗度、等）の向上を達成している。
【図面の簡単な説明】
【００１１】
【図１】  本発明によるワークサポート構造の断面図である。
【図２】  図１の断面Ｘ−Ｘを表わす。
【符合の説明】
【００１２】  １  キャップ
２  ボディー
３  ピストン
４  ベース
５  ロッド
６  ローラーピン
７  スプリング
８  スプリング
【図１】
2010125591.tif 000003
【図２】
2010125591.tif 000004
(57)【要約】【課題】  回転体を取り付けることにより、弱い力でより早く正確に穴をあけることができる錐を提供する。【解決手段】  柄の中間部に刃の延長線上の位置にある軸に貫く回転体を取り付けることを特徴とする錐。【選択図】図１
2010125850.tif 000002
【特許請求の範囲】
【請求項１】
柄の中間部に回転体を軸に貫いて装着した錐。
【発明の詳細な説明】
【技術分野】
【０００１】本発明は、柄の中間部に回転体を設けた手動式錐に関するものである。
【背景技術】
【０００２】従来、錐はテーパー状に下部が太くなった長い柄の付いたものであった。
【発明の開示】
【発明が解決しょうとする課題】
【０００３】錐には次のような問題点があった。
（イ）長い柄の先に尖った刃が付いているので取り扱いが危険であり普通サイズの道具箱には入りきれなかった。
（ロ）穴をあける時、丸い柄を両手の手のひらで揉みながら上から下へ何度も繰り返さなくてはならず大変な労力を要した。
【課題を解決するための手段】
【０００４】円柱状の柄の中間部に回転体を設ける。
【発明の効果】
【０００５】柄の中間部に装着した回転体に、手刀の刃部を押しつけながら丸い柄を両手で揉むので弱い力で早く正確に穴をあけることができる。
【発明を実施するための最良の形態】
【０００６】以下、本発明の形態について説明する。
柄上部（１）と柄下部（５）は軸（２）で接続され互いに固定されている。回転体（３）は軸（２）に貫いて自由に回転できる。刃（６）は柄下部（５）に固定されている。軸（２）に貫いている珠（４）は回転体（３）と柄下部（５）との摩擦を軽減させるためのものである。
【実施例】
【０００７】（イ）回転体（３）の形状は円形でなくてもよい。楕円形若しくは方形又はその他いろいろである。
（ロ）珠（４）の形状は図以外にも球状、平らな円盤状その他いろいろである。無くてもよい。回転体（３）の下部又は柄下部（５）の上部に突起部を設けるだけでもよい。
【図面の簡単な説明】
【０００８】
【図１】本発明の正面図。
【図２】本発明の平面図。
【符号の説明】
【０００９】  １  柄上部
２  軸
３  回転体
４  珠
５  柄下部
６  刃
【図１】
2010125850.tif 000003
【図２】
2010125850.tif 000004
(57)【要約】      （修正有）【課題】従来のモーターで駆動する自転車漕ぎ運動装置はひざ関節、股関節は屈伸するが、足首の屈伸運動が充分でなかった。これは、足を載せたペダルが自由に回転するため、足首を屈伸することが出来ない。【解決手段】クランクアーム４に設けてあるペダルの軸８の回転を制御して、クランクアームが回転するとき、ペダル７の足を載せる面が一定方向を維持して回転すれば良いことで、出力軸に取り付けたクランクアームにペダルの軸を回転自在に装着し、該ペダルの軸に回転歯車６を装着し、また、駆動装置２側に、駆動軸３の軸心を同じくして、ペダル軸に固着した歯車と同一仕様（同一歯数）の固定歯車５を支持固定し、該固定歯車と回転歯車をタイミングベルト９、或はチエンで係合してペダルの回転を制御することにした。これによりペダルに乗せた足はクランクが回転すれば足首を屈伸することができる。【選択図】図１
2010125299.tif 000002
【特許請求の範囲】
【請求項１】
電気モーターと軸直交型減速機で構成された駆動装置の出力軸の左右に、ペダルを設けたクランクアームを取り付けてなる自転車漕ぎ運動をする他動式運動装置において、出力軸の軸心を同じくして、固定歯車（４）を駆動装置の左右に回転不能に支持固定し、左右の出力軸（３）に装着したクランクアーム（４）にペダル（７）のペダル軸（８）を回転自在に設け、該ペダル軸に固定歯車（５）と同一仕様の回転歯車（６）を装着し、固定歯車（５）と回転歯車（６）をタイミングベルト、或はチエン（９）で係合したことを特徴とする下肢関節屈伸運動装置。
【発明の詳細な説明】
【技術分野】
【０００１】  本発明は、老齢化による、または、手術後の長期のベッド生活による足の「むくみ」の改善、下肢関節の拘縮、筋力の低下予防と回復のための補助運動器具に関する。
【背景技術】
【０００２】  老齢化に伴い、或いは手術後の長期のベッド生活で歩くことが少なくなると、足の「むくみ」、関節の拘縮、筋力の低下などの症状がおこる。それを予防改善するにはからだに大きな負担の掛からない運動が必要である。しかしながら、高齢者や手術後の患者には自力で運動することは困難な場合が多い。  このような場合い、歩く運動と同等の効果を得ることの出来る他動式の運動器具が望まれる。【０００３】  それには電気モーターなど他の動力で下肢の各関節の屈伸運動を補助することが効果的で、とくに足首の屈伸運動は血行を促進し、足の「むくみ」、筋力低下の予防と改善に有効的であると言われている。【０００４】  それを解決するために出願番号（特許２００６−１００１３３）で出願した電気モーターによる下肢屈伸装置は、他動的に下肢関節の屈伸運動を行い、効果を期待したものであるが、股関節の屈伸を行うには充分でなく、また、従来の自転車漕ぎ運動装置は、股関節、膝関節は運動するが、足を載せたペダルは自由回転する為、足首関節を充分に屈伸することが出来ない。
【発明の開示】
【発明が解決しようとする課題】
【０００５】  以上のように、従来の足首屈伸装置や自転車漕ぎ運動装置は下肢関節の運動器具としては充分に満足するものではない。
本発明では、下肢の各関節を充分に動かすことが可能で、下肢の各関節の動きを滑らかにし、関節の拘縮予防と血行の改善促進による「むくみ」の改善と予防、筋力の低下の予防と改善に効果を上げることを目的とするものである。
【課題を解決するための手段】
【０００６】  上記の課題を解決するには、電気モーター等により作動する自転車漕ぎ運動装置の、左右の足を載せるペダルの自転を制御することにより、股関節、ひざ関節に加え足首の屈伸を充分にすることができる。【０００７】  本発明では、電気モーターと左右に出力軸を持つ軸直交型減速機で構成された駆動装置の軸の左右に、ペダルの軸を回転自在に取り付けたクランクアームを取り付け、駆動装置の軸と軸心を同じくする位置に固定歯車を回転不能に支持固定し、該歯車と同一仕様（同一歯数）の回転歯車を、回転自在なペダルの軸に取り付け、前記２個の歯車をチエン或はタイミングベルトで係合する構造とする。【０００８】  このような構造の下肢関節屈伸運動装置は、駆動装置の軸が回転するとクランクアームが回転し、クランクアームに回転自在に装着されたペダルは、該ペダル軸に取り付けた回転歯車と、駆動軸側に支持固定した固定歯車と、それらを繋ぐチエン、或はタイミングベルトにより回転を制御され、ペダルの足を載せる面を一定の方向に維持して公転し、ペダルに乗せた足の足首を屈伸することが出来る。
【発明の効果】
【０００９】このように構成された本発明の下肢関節屈伸運動装置は、本装置の左右のペダルに左右の足を載せて駆動軸を回転すると、左右の足は自転車漕ぎ運動をして、前後、上下に動き、股関節、ひざ関節の屈伸をするとともに、足首も屈伸し、関節を和らげて拘縮を予防、血行を促進してむくみの改善、筋肉の低下、予防に寄与する
【発明を実施するための最良の形態】
【００１０】  以下本発明の実施の形態を図１〜図３に基づいて説明する。
図１の架台１に電気モーターと軸直交型減速機とからなる駆動装置２を設置し、駆動装置２の左右の出力軸３に、ペダル７の軸８を回転自在に設けたクランクアーム４を取り付け、駆動装置２とクランクアーム４の間に駆動軸と軸心を同一にして固定歯車５を駆動装置の側面に回転不能に支持固定し、  また、ペダル軸８の一端に固定歯車５と同一歯数の回転歯車６を装着し、固定歯車５と回転歯車６をタイミングベルト９で連結してある。【００１１】    以上のような形態の本発明の下肢関節屈伸運動装置は、電気モーターが回転すると、駆動装置の左右のクランクが回転し、椅子或はサドルに座って自転車をこぐ状態に足をペダルに載せると、ペダルに載せた足を一定方向に維持しながら回転運動をして、図４に示すように、足首、ひざ関節、股関節を屈伸して、関節を和らげて拘縮を予防し、足首を屈伸することにより血流を促進して、「むくみ」の予防、筋力の低下予防などの効果が期待できる。
【図面の簡単な説明】
【００１２】
【図１】本発明の実施形態を示す下肢関節屈伸運動装置の正面図
【図２】本発明の実施形態を示す下肢関節屈伸運動装置の側面図
【図３】本発明のクランクアーム、ペダル部の拡大図
【図４】本発明による下肢関節の動きを示す説明図
【符号の説明】
【００１３】      １      架台
２      駆動装置
３      駆動軸
４      クランクアーム
４ａ    クランクアーム断面図
５      固定歯車
６      回転歯車
７      ペダル
８      ペダル軸
９      タイミングベルト
１０    カバー
【図１】
2010125299.tif 000003
【図２】
2010125299.tif 000004
【図３】
2010125299.tif 000005
【図４】
2010125299.tif 000006
(57)【要約】【課題】  二輪車の走行時の空気抵抗によるエネルギー損失を減らすことにより、原動機付二輪車では省燃費走行を、自転車に於いては高速巡航や長距離走行時の疲労軽減を、簡便な手段で実現することである。【解決手段】  二輪車走行時の、おもに乗員の周辺気流によるエネルギー損失を防ぐために、空気流の渦を生じ難くさせる形状を持たせたものを乗員の後方に、背負うかあるいは着衣として身につけることにより、空気の渦の発生を抑えてエネルギー損失の減小を実現するものである。これらを実現するための形状については、その断面積が、走行方向に対して後方に行くに従って緩やかに絞られており後端部面積は零に近いものとなる。この形状は、二輪車の走行時にのみ形成されるものであっても良く、例えば走行風圧によって上記の形状を形成するバックパックや衣服の様に身につける物も含まれる。【選択図】図４
2010125298.tif 000002
【特許請求の範囲】
【請求項１】
二輪車の走行時に於いて、主に乗員後部の空気の渦流によるエネルギー損失を減らすためのもので、外見は袋または箱状のもので、走行方向に対して後方に行くに従ってその断面積が緩やかに減少し後端は絞り切った立体的形状を持つか、又は走行時の風圧で上記の形状を形成することで所望の効果を生ずる、バックパックの様に背負うか又は衣服の様に身体に付けるもの。
【発明の詳細な説明】
【技術分野】
【０００１】  本発明は、自転車等の二輪車の走行時に発生する気流によるエネルギーの損失を減らすための、リュックサック（以下バックパックと記す）および、同様の形状による同等の効果をもつ衣類に関するものである。
【背景技術】
【０００２】  物体が気体や液体等の流体の中を動くときのエネルギー損失は、その内訳の殆どが物体後方に出来る渦に依るものであることは、流体力学上の周知の事である。上記の実例として、自転車等の二輪車の走行時の空気によるエネルギー損失は、車体や乗員の後方に出来る気流の渦に依るものであり、これらを考慮した風防で覆った自転車が自動車に近い高速走行が出来ることは広く知られている。自転車を漕ぐ人力は非常に非力であるうえ、空気抵抗による損失は速度を上げるに従い乗法的に増加する。そのため、より効率の良い走行をするには、後方気流による損失を減らすことは効果的な手段となる。気流による損失を減らすための従来の方法は乗車姿勢であり、二輪車に伏せるか仰向けになることによるが、それらの姿勢は敏捷性や視認性にすぐれたものではなく、利点は多いものの少なくとも日本の交通事情にふさわしいとは言い難い。【０００３】  飛行機、自動車等の高速移動体はそれらによる損失を減らすため、後部渦流の発生を防ぐ様に機体を魚体のように、後部へ行くほど細く仕上げている。渦流を生じない様に細く絞る比率は、機体の速度により決まってくるものであるが、自転車の様に常用速度が比較的遅い場合の乗り物は、短い距離で絞っても渦流は生じにくい。そのため比較的低速度域に限る場合は気流を整流する構造物も小型なもので効果的である。
【発明の開示】
【発明が解決しようとする課題】
【０００４】  二輪車の走行時の空気によるエネルギー損失を減らすことにより、原動機付二輪車では省燃費走行を、自転車に於いては高速巡航や長距離走行時の疲労軽減を、簡便な手段で実現することである。
【課題を解決するための手段】
【０００５】  二輪車走行時の、おもに乗員の周辺気流によるエネルギー損失を防ぐために、空気流の渦を生じ難くさせる形状を持たせたものを乗員の後方に、背負うかあるいは着衣として身につけることにより、空気の渦の発生を抑えてエネルギー損失の減小を実現するものである。これらを実現するための形状については、その断面積が、走行方向に対して後方に行くに従って緩やかに絞られており後端部面積は零に近いものとなる。この形状は、二輪車走行時のみに形成されるものであっても良く、例えば走行風圧によって上記の形状を形成するバックパックや衣服の様に身につける物でも良い。
【発明の効果】
【０００６】  流体力学が示すように、実際に現れる効果は明確であるが、二輪車の走行時の効果は簡単な実験で実証することが可能である。比較実証方法の一例として、傾斜のある一定距離の下降時間を比べることで、気流の整流機能の有るバックパックの使用と不使用での明確な差を確認することが出来る。実際の使用に於いて自転車を例にとれば、同等の動力で走行しても高速な走行が出来、また長距離走行時の疲労度を軽減することが出来る。【０００７】また本発明は、現在のバックパックの形状を工夫しただけの構造であり、二輪車の車体には構造上の改造はないので法規制にも問題が無く、手軽であり費用負担も少ない。何よりも荷物を納めるバックパックを背負うだけで抵抗の少ない走行が出来るのは、まさに一石二鳥と言えるものである。もう一つの衣服としての実施に於いても、走行時に風圧で所望の形に膨らむ様にしたものであるため、手軽でありながら同様の効果を持つものである。
【発明を実施するための最良の形態】
【０００８】  本発明の一例であるバックパックの外観を図１に示す。一般的なバックパックと同様に、バッグ本体ｂに、背負うための左右一対のショルダーベルトａを取り付ける。図２はバックパックの平面図であり、バッグ本体ｂが後端部に行くに従ってなめらかに絞られている形状を示しており、本発明の手段の基本となる形状であり、空気抵抗のもととなる気流の渦を生じ難くさせる形をあらわしている。上記構成のバックパックを背負うことにより所望の効果を得ることが出来る。
【実施例】
【０００９】  本発明の使用例を図３に示す。図４は、使用例である図３のバックパックの形状を分かり易い角度から見たものである。図５は本発明のもう一つの実施例であり着衣として所望の効果を得るものである。
【図面の簡単な説明】
【００１０】
【図１】  実施例のバックパックの斜眼図である。
【図２】  実施例（図１）のバックパックの平面図である。
【図３】  バックパックを自転車での使用例の斜眼図である。
【図４】  使用例（図３）に於いて、バックパックの形状を分かり易い角度から見た図である。
【図５】  衣服の形態をもつ実施例である。
【符号の説明】
【００１１】ａ      ショルダーベルト
ｂ      バッグ本体
【図１】
2010125298.tif 000003
【図２】
2010125298.tif 000004
【図３】
2010125298.tif 000005
【図４】
2010125298.tif 000006
【図５】
2010125298.tif 000007